(57)【要約】【課題】フィルタ部が取り外された状態において、温風が循環する循環経路内への異物の侵入を防ぐと共にファン能力を十分に発揮して乾燥能力の低下を防ぐことができる洗濯乾燥機を提供する。【解決手段】フィルタ部(３１)が開口部(３０c)を介してフィルタ収納部(３０)に挿入されたときに開き、フィルタ部(３１)がフィルタ収納部(３０)から取り出されたときに開口部(３０c)を閉じる開閉扉(３３Ａ,３３Ｂ)を備える。上記開閉扉(３３Ａ,３３Ｂ)は、フィルタ部(３１)が挿入されて開いたときにフィルタ収納部(３０)内の風通路において空気流の向きに対して略平行となる主平面(３３Ａ−１,３３Ｂ−１)を有する。【選択図】図７
2014226155.tif 000002
【特許請求の範囲】
【請求項１】
外箱と、
上記外箱内に配置された洗濯槽と、
上記洗濯槽内の洗濯物を乾燥させるための加熱装置と、
上記洗濯槽内の空気を上記加熱装置を介して循環させる循環ファンと、
上記循環ファンにより空気が循環する循環経路かつ上記加熱装置の上流側に配置されたフィルタ収納部と、
上記フィルタ収納部に着脱可能に装着されたフィルタ部と、
上記フィルタ収納部に設けられ、上記フィルタ収納部内の風通路に連なる開口部と、
上記開口部に設けられ、上記フィルタ部が上記開口部を介して上記フィルタ収納部に挿入されたときに上記フィルタ収納部の内側に開き、上記フィルタ部が上記フィルタ収納部から取り出されたときに上記開口部を閉じる開閉扉と
を備え、
上記開閉扉は、上記フィルタ部が挿入されて開いたときに上記フィルタ収納部内の風通路において空気流の向きに対して略平行となる主平面を有することを特徴とする洗濯乾燥機。
【請求項２】
請求項１に記載の洗濯乾燥機において、
上記開閉扉は、上記フィルタ部が上記フィルタ収納部に挿入されるときに上記フィルタ部によって押されて内側に開くことを特徴とする洗濯乾燥機。
【請求項３】
請求項１または２に記載の洗濯乾燥機において、
上記開閉扉は、板形状であることを特徴とする洗濯乾燥機。
【請求項４】
請求項１から３までのいずれか１つに記載の洗濯乾燥機において、
上記開閉扉は、上記開口部を閉じた状態で上記フィルタ収納部内の風通路と外部との間を密閉するシール構造をしていることを特徴とする洗濯乾燥機。
【請求項５】
請求項１から４までのいずれか１つに記載の洗濯乾燥機において、
上記フィルタ部が上記フィルタ収納部から取り出されるときに上記開口部を閉じるように上記開閉扉を付勢する付勢部を備えたことを特徴とする洗濯乾燥機。
【発明の詳細な説明】
【技術分野】
【０００１】
この発明は、洗濯乾燥機に関する。
【背景技術】
【０００２】
従来、洗濯乾燥機としては、外箱内に配設された外槽の上面の温風出口部と背面上部の温風入口との間が循環経路で接続され、その循環経路にリント捕獲器収容部を備えたものがある(例えば、特開２０１１−１１５４３９号公報(特許文献１)参照)。上記洗濯乾燥機は、乾燥運転時に衣類から発生するリントを捕獲するリント捕獲器をリント捕獲器収容部に着脱自在に装着している。ここで、リントとは、衣類から出るほこりや糸くずなどのことである。
【０００３】
上記洗濯乾燥機では、リント捕獲器収容部からリント捕獲器を取り出した状態で開口部が外部に露出しているため、リント捕獲器が取り出された状態で異物が侵入しないように、メッシュ状のシャッタが回動自在に取り付けられている。このメッシュ状のシャッタは、リント捕獲器が取り出された状態でリント捕獲器収容部の開口部を閉じることによって、開口部から異物が侵入するのを防止している。
【先行技術文献】
【特許文献】
【０００４】
【特許文献１】特開２０１１−１１５４３９号公報
【発明の概要】
【発明が解決しようとする課題】
【０００５】
上記洗濯乾燥機では、リント捕獲器が取り出された状態において、メッシュ状のシャッタが開口部を覆っているが、循環経路の途中で外部とつながっていることになるので、この状態で乾燥運転を行う場合には温風を循環させるファン能力が十分に発揮できず、乾燥能力が低下するという問題がある。
【０００６】
また、上記洗濯乾燥機では、リント捕獲器収容部にリント捕獲器を取り付けた状態において、メッシュ状のシャッタは、リント捕獲器に押されて、循環経路の接続口を妨げる位置に回動する。このようなリント捕獲器が装着された状態では、乾燥運転時にメッシュ状のシャッタにもリントが捕獲され、掃除に手間がかかる。
【０００７】
そこで、この発明の課題は、フィルタ部が取り外された状態において、温風が循環する循環経路内への異物の侵入を防ぐと共にファン能力を十分に発揮して乾燥能力の低下を防ぐことができる洗濯乾燥機を提供することにある。
【課題を解決するための手段】
【０００８】
上記課題を解決するため、この発明の洗濯乾燥機は、
外箱と、
上記外箱内に配置された洗濯槽と、
上記洗濯槽内の洗濯物を乾燥させるための加熱装置と、
上記洗濯槽内の空気を上記加熱装置を介して循環させる循環ファンと、
上記循環ファンにより空気が循環する循環経路かつ上記加熱装置の上流側に配置されたフィルタ収納部と、
上記フィルタ収納部に着脱可能に装着されたフィルタ部と、
上記フィルタ収納部に設けられ、上記フィルタ収納部内の風通路に連なる開口部と、
上記開口部に設けられ、上記フィルタ部が上記開口部を介して上記フィルタ収納部に挿入されたときに上記フィルタ収納部の内側に開き、上記フィルタ部が上記フィルタ収納部から取り出されたときに上記開口部を閉じる開閉扉と
を備え、
上記開閉扉は、上記フィルタ部が挿入されて開いたときに上記フィルタ収納部内の風通路において空気流の向きに対して略平行となる主平面を有することを特徴とする。
【０００９】
また、一実施形態の洗濯乾燥機では、
上記開閉扉は、上記フィルタ部が上記フィルタ収納部に挿入されるときに上記フィルタ部によって押されて内側に開く。
【００１０】
また、一実施形態の洗濯乾燥機では、
上記開閉扉は、板形状である。
【００１１】
また、一実施形態の洗濯乾燥機では、
上記開閉扉は、上記開口部を閉じた状態で上記フィルタ収納部内の風通路と外部との間を密閉するシール構造をしている。
【００１２】
また、一実施形態の洗濯乾燥機では、
上記開閉扉は、複数の扉部を有する。
【００１３】
また、一実施形態の洗濯乾燥機では、
上記フィルタ部が上記フィルタ収納部から取り出されるときに上記開口部を閉じるように上記開閉扉を付勢する付勢部を備えた。
【００１４】
また、一実施形態の洗濯乾燥機では、
上記加熱装置は、ヒートポンプユニットである。
【発明の効果】
【００１５】
以上より明らかなように、この発明によれば、フィルタ部が取り外された状態において、温風が循環する循環経路内への異物の侵入を防ぐと共にファン能力を十分に発揮して乾燥能力の低下を防ぐことができる洗濯乾燥機を実現することができる。
【図面の簡単な説明】
【００１６】
【図１】図１はこの発明の実施の一形態の洗濯乾燥機の外観を示す斜視図である。
【図２】図２は上記洗濯乾燥機の乾燥機能に関する概略構成を模式的に示す図である。
【図３】図３は上記洗濯乾燥機の外箱を外した要部の裏面側を斜め上方から見た斜視図である。
【図４】図４は上記洗濯乾燥機の側方から見た断面の模式図である。
【図５】図５は上記洗濯乾燥機の後面右側の要部を斜め前方かつ上方から見た斜視図である。
【図６】図６は図５においてフィルタ部を装着する途中の状態を示す斜視図である。
【図７】図７は図６のVII−VII線から見た断面図においてフィルタ部をフィルタ収納部に装着した状態を示す図である。
【図８】図８は図６のVII−VII線から見た断面図においてフィルタ部を引き出して開口部を開閉扉で閉じた状態を示す図である。
【発明を実施するための形態】
【００１７】
以下、この発明の洗濯乾燥機を図示の実施の形態により詳細に説明する。
【００１８】
図１はこの発明の実施の一形態の洗濯乾燥機の外観を示す斜視図である。
【００１９】
この実施の形態の洗濯乾燥機は、図１に示すように、外箱１の正面に運転動作を選択指示入力すると共に運転状態を表示する操作表示部２０と、洗濯槽２,回転ドラム３(図２に示す)の開口を開閉する扉２１とを備える。
【００２０】
また、図２は上記洗濯乾燥機の乾燥機能に関する概略構成を模式的に示す図である。
【００２１】
上記洗濯乾燥機は、図２に示すように、外箱１と、外箱１内に配置された洗濯槽２と、洗濯槽２内に水平方向に対して正面側で上向きとなる傾斜角をなす中心軸Ｊ回りに回転可能に配置され、衣類等の乾燥対象物５が収容される回転ドラム３と、この回転ドラム３を中心軸Ｊ周りに回転駆動する回転駆動部としての駆動モータ４を備えている。上記洗濯槽２および回転ドラム３は、扉２１側に開口しており、扉２１を開くことにより回転ドラム３内に洗濯物や乾燥対象物５を出し入れできる。また、扉２１を閉じることで、洗濯槽２は水密かつ気密が保たれる。なお、中心軸Ｊは、水平方向に対して略平行であってもよい。
【００２２】
また、上記外箱１の背面側上部に、フィルタ収納部３０を配置している。上記フィルタ収納部３０の吸気口３０aと洗濯槽２の排気口２２との間を第１空気循環ダクト２３を介して接続し、フィルタ収納部３０の排気口３０bと加熱装置の一例としてのヒートポンプユニット１３との間を第２空気循環ダクト２４を介して接続している。このヒートポンプユニット１３は、外箱１の背面側下部に配置されている。また、ヒートポンプユニット１３と洗濯槽２の吸気口２５との間に送風ダクト２６を接続している。この送風ダクト２６のヒートポンプユニット１３側に循環ファン１１を配設している。
【００２３】
上記洗濯槽２と第１空気循環ダクト２３とフィルタ収納部３０と第２空気循環ダクト２４とヒートポンプユニット１３および送風ダクト２６で循環経路を形成している。
【００２４】
また、回転ドラム３には、周面３Ａに洗濯槽２内との間で水や空気の流通を可能にする複数の貫通孔(図示せず)を形成している。また、回転ドラム３の底面３Ｂには洗濯槽２の吸気口２５に連通する複数の空気導入孔(図示せず)を形成している。これにより、ヒートポンプユニット１３から送風ダクト２６を経て供給される乾燥した加熱空気は、図２に矢印Ｙで示すように吸気口２５から回転ドラム３内に導入できる。
【００２５】
また、回転ドラム３内に収容された衣類等の乾燥対象物５から水分を奪った加熱空気は吸湿空気となる。この吸湿空気は、図２に矢印Ｚで示すように回転ドラム３の周面３Ａの貫通孔から洗濯槽２内に抜け、洗濯槽２の排気口２２から第１空気循環ダクト２３を介してフィルタ収納部３０に向けて排気され、このフィルタ収納部３０から第２空気循環ダクト２４を通ってヒートポンプユニット１３に導入される。
【００２６】
上記ヒートポンプユニット１３は、蒸発器１０と圧縮機７と凝縮器８と膨張弁９とを有する。蒸発器１０と圧縮機７と凝縮器８と膨張弁９を冷媒配管１４で接続して冷媒回路を形成し、圧縮機７で圧縮された冷媒が凝縮器８、膨張弁９、蒸発器１０の順に流れる。また、圧縮機７の吐出側の冷媒配管１４に、状態検知手段としての温度センサ１６等を取り付けている。この温度センサ１６で測定した冷媒温度に応じて、制御用コンピュータ等で構成した制御部１５が圧縮機７の能力を制御可能になっている。また、必要に応じて制御部１５により膨張弁９の制御が行われる。
【００２７】
上記構成の洗濯乾燥機では、操作表示部２０(図１に示す)から運転コースの選択や各工程の時間設定などが入力されると、その選択情報や設定情報が入力された制御部１５によって、洗濯から乾燥までを一連の動作として実行させることや乾燥運転のみを実行する。
【００２８】
乾燥運転では、回転ドラム３が駆動モータ４によって乾燥動作に対応する回転速度で回転されて、衣類等の乾燥対象物５を撹拌すると共に、ヒートポンプユニット１３および循環ファン１１が駆動されて乾燥用空気の循環が開始される。
【００２９】
このとき、ヒートポンプユニット１３では、図２に示す圧縮機７により冷媒が圧縮され、この冷媒は圧縮機７から冷媒配管１４を通って凝縮器８、膨張弁(絞り手段)９、蒸発器１０、圧縮機７を順に循環する。圧縮された冷媒の熱は、凝縮器８に流入することにより、凝縮器８内に配設された冷媒管路８Ａに設けられたフィン８Ｂに接する空気に放熱されるので、加熱空気となって、循環ファン１１から送風ダクト２６を通って、吸気口２５から回転ドラム３内に供給される。
【００３０】
これにより、上記加熱空気は、回転ドラム３内で撹拌される衣類等の乾燥対象物５から水分を奪った吸湿空気となって、排気口２２から第１空気循環ダクト２３に排出される。
【００３１】
第１空気循環ダクト２３に送風された吸湿空気は、フィルタ収納部３０,第２空気循環ダクト２４を介してヒートポンプユニット１３の吸気口からヒートポンプユニット１３内の空間に入り、蒸発器１０のフィン１０Ｂを通過する際に熱が奪われて除湿される。上記蒸発器１０では、膨張弁９により減圧されて低圧となった冷媒が冷媒管路１０Ａを流れている。
【００３２】
そして、蒸発器１０で除湿されることにより生じた結露水は、図示しない貯水部に滴下し、除湿されて乾いた空気は凝縮器８に入って再び加熱される。上記貯水部に貯留された水は、排水ポンプが一定時間毎に運転されることにより、洗濯槽２内に排出され、排水弁が開かれることにより排水口から排水管路を通って外部に排水される。
【００３３】
乾燥用空気をヒートポンプユニット１３により加熱,除湿するヒートポンプ方式の乾燥機能の構成は、蒸発器１０で吸熱した熱を冷媒で回収して再び凝縮器８から放熱するので、圧縮機７に入力したエネルギー以上の熱量を衣類等の乾燥対象物５に与えることができ、乾燥時間の短縮と省エネルギーとを実現することが可能となる。
【００３４】
ここで、上記乾燥運転時に、回転ドラム３から第１空気循環ダクト２３に導入される空気には衣類のほこり,糸くず等が含まれているので、第１空気循環ダクト２３と第２空気循環ダクト２４との間にほこり,糸くずを捕獲するフィルタ収納部３０を設けている。このフィルタ収納部３０によって、第２空気循環ダクト２４を介してヒートポンプユニット１３にほこり,糸くず等が入ることを防ぐ。
【００３５】
図３は上記洗濯乾燥機の外箱１(図１,図２に示す)を外した要部の裏面側を斜め上方から見た斜視図を示している。また、図４は上記洗濯乾燥機の側方から見た断面の模式図を示している。図３,図４において、図２に示す構成と同一の構成部には同一参照番号を付している。
【００３６】
図３,図４に示すように、回転ドラム３(図２に示す)が収納された洗濯槽２の上部にフィルタ収納部３０を取り付けている。洗濯槽２の排気口２２とフィルタ収納部３０の吸気口３０a(図２に示す)とを第１空気循環ダクト２３を介して接続している。また、このフィルタ収納部３０の排気口３０b(図２に示す)に第２空気循環ダクト２４の上端を接続し、第２空気循環ダクト２４の下端をヒートポンプユニット１３の吸気口に接続している。また、ヒートポンプユニット１３の排気側に取り付けられた循環ファン１１の吹出口に送風ダクト２６の下端を接続し、送風ダクト２６の上端を洗濯槽２の裏面の吸気口２５に接続している。
【００３７】
次に、フィルタ収納部３０のフィルタ部３１の装着について説明する。図５は上記洗濯乾燥機の後面右側の要部を斜め前方かつ上方から見た斜視図を示しており、フィルタ部３１を装着していない状態では、フィルタ収納部３０の開口部３０cは、２つの板状の扉部３３Ａ,３３Ｂにより閉じられている。この扉部３３Ａ,３３Ｂは、略長方形状をしており、互いに対向する長辺に対してそれぞれ反対の側の長辺を軸にして回動自在に取り付けられている。
【００３８】
また、フィルタ部３１は、上側に把手１０１aを有する把手部１０１と、把手部１０１の下側から下方に向かって延びかつ一方の側面(フィルタ収容部３０の吸気口３０ａと対向する面)が開口する箱部１０２と、箱部１０２の開口１０２aを覆う蓋部１０３とを有する。上記蓋部１０３には、フィルタ収納部３０の吸気口３０a(図２に示す)に対向する略円形の開口１０３aを設けている。また、蓋部１０３は、下端を軸に回動可能に箱部１０２に取り付けられている。さらに、箱部１０２は、吸気口３０aと対向する蓋部１０３以外の部分にリント等を捕獲するフィルタを設けている。このフィルタは、蓋部１０３以外の箱部１０２前面に設けてもよいが、少なくとも排気口３０bと対向する箱部１０２の面側に設けられる。
【００３９】
このフィルタ部３１をフィルタ収納部３０から取り出して蓋部１０３を開くことにより、箱部１０２内から糸くずを容易に除去することができる。
【００４０】
図６に示すように、フィルタ部３１がフィルタ収納部３０の開口部３０cに挿入されると、扉部３３Ａ,３３Ｂが押し開かれて、開口部３０cの中央から開き始める。
【００４１】
図７は図６のVII−VII線から見た断面図においてフィルタ部をフィルタ収納部に装着した状態を示しており、図７において空気風路の空気流は、紙面に垂直な方向に紙面側から上方に向かって流れる。図７に示すように、扉部３３Ａ,３３Ｂは、フィルタ収納部３０内の風通路において空気流の向きに対して略平行に配置されている。図７において、３２は本体部、３０aは吸気口、３６はシール部材である。
【００４２】
また、図８は図６のVII−VII線から見た断面図においてフィルタ部３１を引き出して開口部３０cを扉部３３Ａ,３３Ｂで閉じた状態を示している。図８において図７と同一の構成部には同一参照番号を付している。
【００４３】
図８に示すように、扉部３３Ａ,３３Ｂは、回動軸３４Ａ,３４Ｂにより夫々回動自在に支持され、付勢部の一例としてのバネ部材３５Ａ,３５Ｂによって開口部３０cを閉じるように夫々付勢される。
【００４４】
このとき、上記扉部３３Ａ,３３Ｂは、開口部３０cを閉じて、扉部３３Ａに取り付けられたシール部材３６により扉部３３Ａと扉部３３Ｂとの隙間を密閉する。上記扉部３３Ａ,３３Ｂにより開口部３０cを閉じた状態でフィルタ収納部３０内の風通路と外部との間を密閉するシール構造としている。
【００４５】
上記扉部３３Ａ,３３Ｂと回動軸３４Ａ,３４Ｂとシール部材３６で開閉扉を構成している。この開閉扉は、開口部３０cを閉じた状態でフィルタ収納部３０内の風通路と外部との間を密閉するシール構造としている。
【００４６】
なお、この実施の形態では、付勢部としてのバネ部材３５Ａ,３５Ｂを用いたが、付勢部はこれに限らず、フィルタ部がフィルタ収納部から取り出されるときに、モータなどを用いた駆動機構により開口部を閉じるように付勢してもよい。
【００４７】
また、この実施の形態では、フィルタ収納部３０内の風通路の下流側、つまりフィルタ収容部３０の排気口３０bに内部フィルタ(図示せず)を設けている。
【００４８】
このフィルタ収納部３０内に設けられた内部フィルタを、上述した扉部３３Ａ,３３Ｂの開閉扉の開閉により内部フィルタを掃除するブラシを開閉扉に設けてもよい(第２の実施の形態)。これにより、開閉扉の開閉動作を利用してフィルタ部の捕獲されたリント等を自動的に掃除することができる。
【００４９】
上記構成の洗濯乾燥機によれば、フィルタ部３１が挿入されて開閉扉が開いたときにフィルタ収納部３０内の風通路において空気流の向きに対して主平面３３Ａ−１,３３Ｂ−１が略平行になるように扉部３３Ａ,３３Ｂが配置される。これにより、フィルタ収納部３０にフィルタ部３１が装着された状態で循環経路の一部であるフィルタ収納部３０内の風通路を流れる空気流が扉部３３Ａ,３３Ｂにより妨げられることがない。また、フィルタ収納部３０からフィルタ部３１が取り外された状態において、開口部３０cを扉部３３Ａ,３３Ｂにより閉じることによって、フィルタ収納部３０内への異物の侵入を防ぐと共に、温風が循環する循環経路の途中で外部に開放されることがなく、ファン能力を十分に発揮して乾燥能力の低下を防ぐことができる。
【００５０】
また、上記扉部３３Ａ,３３Ｂは、フィルタ部３１がフィルタ収納部３０に挿入されるときにフィルタ部３１によって押されて内側に開くことによって、別に扉部３３Ａ,３３Ｂを開く操作が必要ないので、作業性が向上する。
【００５１】
また、上記板形状の扉部３３Ａ,３３Ｂを用いて開口部３０cを閉じることによって、メッシュ状のフィルタとは異なり、外部からの細かい異物の侵入も防ぐことができると共に、循環経路の途中で外部に開放されるのを確実に防ぐ。
【００５２】
また、上記扉部３３Ａ,３３Ｂにより開口部３０cを閉じた状態では、開閉扉のシール構造によってフィルタ収納部３０内の風通路と外部との間を密閉するので、循環経路と外部との間で空気の出入りがないようにでき、循環ファン１１により加熱装置１３を介して洗濯槽２内の空気が循環する循環経路内の空気流が安定し、ファン能力を十分に発揮することができ、乾燥能力の低下を確実に防ぐことができる。
【００５３】
また、上記複数の扉部３３Ａ,３３Ｂを有する開閉扉を用いて開口部３０cを閉じることによって、内側に開いた状態の扉部３３Ａ,３３Ｂが本体部３２に収まる奥行きスペースを浅くでき、開閉扉の小型化が図れる。
【００５４】
また、上記フィルタ部３１がフィルタ収納部３０から取り出されるとき、バネ部材３５Ａ,３５Ｂによって開口部３０cを閉じるように扉部３３Ａ,３３Ｂを付勢するので、複雑な駆動機構を設けることなく構成を簡略化できる。
【００５５】
また、上記洗濯槽２内の洗濯物を乾燥させるための加熱装置にヒートポンプユニット１３を用いることによって、ヒートポンプユニット１３を介して循環させる洗濯槽２内の空気をヒートポンプユニット１３の蒸発器で除湿した後に凝縮器で加熱するので、乾燥能力および加熱効率が向上する。
【００５６】
また、ヒートポンプユニット１３を介して循環させる洗濯槽２内の空気をヒートポンプユニット１３の蒸発器で除湿した後に凝縮器で加熱するので、ヒートポンプユニット１３の上流側に配置されたフィルタ収納部３０のフィルタにより細かいほこりや糸くずを捕獲することによって、細かいほこりや糸くずが蒸発器や凝縮器に付着して除湿効率と加熱効率が低下するのを防止する。
【００５７】
上記実施の形態では、ドラムを横方向に配置したドラム式洗濯乾燥機について説明した。この発明は、第３の実施の形態としてドラム式洗濯乾燥機だけでなく、ドラムを縦方向に設けた縦型洗濯乾燥機などの他の洗濯乾燥機にも適用できる。縦型洗濯乾燥機は、上部が開口され底部を有底の筒形状の洗濯槽内に、回転可能に設けられ洗濯物を収容し洗濯、乾燥を行う上部が開口され、底部が有底の筒形状のドラム(洗濯脱水槽)を設けている。このような構成においても、先に説明した構成をそのまま適用できる。
【００５８】
また、第４の実施の形態として、開閉扉を構成する扉部３３Ａ,３３Ｂを区分して設けることで、扉部３３Ａと３３Ｂとが対向する軸支部と反対側の一側辺、例えば図７において扉部３３Ａ側にシール部材３６を設けている。これにより、開閉扉が閉じられた状態で、扉部３３Ａと３３Ｂとの隙間を無くすための精密な設計が不要となる。このシール部材３６にゴム等のシール材を設けることで、扉部３３Ａと３３Ｂとの隙間を完全に閉塞することが可能となる。しかも、シール部材３６は、フィルタ収容部３０の内部に内包される格好で設けられている。そのため、開閉時に障害になることはなく、外見上の景観を損なうこともない。
【００５９】
以上発明の具体的な実施の形態について説明したが、この発明は上記実施の形態に限定されるものではなく、この発明の範囲内で種々変更して実施することができる。
【００６０】
この発明の洗濯乾燥機は、
外箱１と、
上記外箱１内に配置された洗濯槽２と、
上記洗濯槽２内の洗濯物を乾燥させるための加熱装置と、
上記洗濯槽２内の空気を上記加熱装置を介して循環させる循環ファン１１と、
上記循環ファン１１により空気が循環する循環経路かつ上記加熱装置の上流側に配置されたフィルタ収納部３０と、
上記フィルタ収納部３０に着脱可能に装着されたフィルタ部３１と、
上記フィルタ収納部３０に設けられ、上記フィルタ収納部３０内の風通路に連なる開口部３０cと、
上記開口部に設けられ、上記フィルタ部３１が上記開口部３０cを介して上記フィルタ収納部３０に挿入されたときに上記フィルタ収納部３０の内側に開き、上記フィルタ部３１が上記フィルタ収納部３０から取り出されたときに上記開口部３０cを閉じる開閉扉(扉部３３Ａ,３３Ｂと回動軸３４Ａ,３４Ｂとシール部材３６)と
を備え、
上記開閉扉は、上記フィルタ部が挿入されて開いたときに上記フィルタ収納部３０内の風通路において空気流の向きに対して略平行となる主平面３３Ａ−１,３３Ｂ−１を有することを特徴とする。
【００６１】
上記構成によれば、フィルタ部３１が挿入されて開いたときにフィルタ収納部３０内の風通路において空気流の向きに対して主平面３３Ａ−１,３３Ｂ−１が略平行になるように開閉扉が配置されることによって、フィルタ収納部３０にフィルタ部３１が装着された状態で循環経路の一部であるフィルタ収納部３０内の風通路を流れる空気流が開閉扉により妨げられることがない。また、フィルタ収納部３０からフィルタ部３１が取り外された状態において、開口部３０cを開閉扉により閉じることによって、フィルタ収納部３０内への異物の侵入を防ぐと共に、温風が循環する循環経路の途中で外部に開放されることがなく、ファン能力を十分に発揮して乾燥能力の低下を防ぐことができる。
【００６２】
また、一実施形態の洗濯乾燥機では、
上記開閉扉は、上記フィルタ部が上記フィルタ収納部に挿入されるときに上記フィルタ部によって押されて内側に開く。
【００６３】
上記実施形態によれば、開閉扉は、フィルタ部３１がフィルタ収納部３０に挿入されるときにフィルタ部３１によって押されて内側に開くことによって、別に扉部３３Ａ,３３Ｂを開く操作が必要ないので、作業性が向上する。
【００６４】
また、一実施形態の洗濯乾燥機では、
上記開閉扉は、板形状である。
【００６５】
上記実施形態によれば、板形状の開閉扉を用いて開口部３０cを閉じることによって、メッシュ状のフィルタとは異なり、外部から細かい異物の侵入も防ぐことができる。
【００６６】
また、一実施形態の洗濯乾燥機では、
上記開閉扉は、上記開口部３０cを閉じた状態で上記フィルタ収納部３０内の風通路と外部との間を密閉するシール構造をしている。
【００６７】
上記実施形態によれば、開閉扉により開口部３０cを閉じた状態で開閉扉のシール構造によってフィルタ収納部３０内の風通路と外部との間を密閉するので、循環経路と外部との間で空気の出入りがないようにでき、循環ファン１１により加熱装置を介して洗濯槽２内の空気が循環する循環経路内の空気流が安定し、ファン能力を十分に発揮することができ、乾燥能力の低下を防ぐことができる。
【００６８】
また、一実施形態の洗濯乾燥機では、
上記開閉扉は、複数の扉部３３Ａ,３３Ｂを有する。
【００６９】
上記実施形態によれば、複数の扉部３３Ａ,３３Ｂを有する開閉扉を用いて開口部３０cを閉じることによって、内側に開いた状態の扉部３３Ａ,３３Ｂが本体内に内蔵される奥行きスペースを浅くでき、開閉扉の小型化が図れる。
【００７０】
また、一実施形態の洗濯乾燥機では、
上記フィルタ部３１が上記フィルタ収納部３０から取り出されるときに上記開口部３０cを閉じるように上記開閉扉を付勢する付勢部３５Ａ,３５Ｂを備えた。
【００７１】
上記実施形態によれば、フィルタ部３１がフィルタ収納部３０から取り出されるとき、付勢部３５Ａ,３５Ｂによって開口部３０cを閉じるように開閉扉を付勢するので、複雑な駆動機構を設けることなく、簡単な構成で開口部３０cを閉じることができる。
【００７２】
また、一実施形態の洗濯乾燥機では、
上記加熱装置は、ヒートポンプユニット１３である。
【００７３】
上記実施形態によれば、洗濯槽２内の洗濯物を乾燥させるための加熱装置にヒートポンプユニット１３を用いることによって、循環経路を循環する洗濯槽２内の空気をヒートポンプユニット１３の蒸発器で除湿した後に凝縮器で加熱するので、乾燥能力および加熱効率を向上できる。
【符号の説明】
【００７４】
１…外箱
２…洗濯槽
３…回転ドラム
３Ａ…周面
３Ｂ…底面
４…駆動モータ
５…乾燥対象物
７…圧縮機
８…凝縮器
８Ａ…冷媒管路
８Ｂ…フィン
９…膨張弁
１０…蒸発器
１０Ａ…冷媒管路
１０Ｂ…フィン
１１…循環ファン
１３…ヒートポンプユニット
１４…冷媒配管
１５…制御部
１６…温度センサ
２０…操作表示部
２１…扉
２２…排気口
２３…第１空気循環ダクト
２４…第２空気循環ダクト
２５…吸気口
２６…送風ダクト
３０…フィルタ収納部
３０a…吸気口
３０b…排気口
３０c…開口部
３１…フィルタ部
３２…本体部
３３Ａ,３３Ｂ…扉部
３３Ａ−１,３３Ｂ−１…主平面
３４Ａ,３４Ｂ…回動軸
３５Ａ,３５Ｂ…バネ部材
３６…シール部材
【図１】
2014226155.tif 000003
【図２】
2014226155.tif 000004
【図３】
2014226155.tif 000005
【図４】
2014226155.tif 000006
【図５】
2014226155.tif 000007
【図６】
2014226155.tif 000008
【図７】
2014226155.tif 000009
【図８】
2014226155.tif 000010